(57)【要約】      （修正有）【課題】パイプを接続する場合に、接続部においてパイプの内径又は外径及び外観を変化させることなく簡単に接続及び取り外しができる継ぎ手を持ったパイプを提供する。【解決手段】パイプを三相構造にしてその中間層に継ぎ手機能を持たせ雄側の突起部を雌側の螺旋状の溝にパイプを回転させながら挿入し回転力を接合力に変換する方法でパイプの内径及び外観を変化させる事なく簡単に接続及び取り外しができる。【選択図】図００５
2008223848.tif 000002
【特許請求の範囲】
【請求項１】
任意の長さ及び太さをしたパイプの両端の一方に雄側継ぎ手（図001）
反対側に雌側継ぎ手（図002）を有した3層構造のパイプ（図004の16）で  内側層は導
通部と接合部として  中間層はパイプ接合機構雌側と接合機構雄側及びパイプ内側層と外
層の接着として  外側層は主にパイプ保護用として構成され  パイプ接続後においてパイ
プの内径及び外径を変化させる事無くパイプ接合する構造の継ぎ手を持った3層構造の簡
単接続パイプで  雌側継ぎ手のパイプの中間層に二次曲線形の螺旋状の溝（図002の13）
を設け  雄側継ぎ手側の内側層外側の先端部に設けられた先端突起（図001の10）を雌側
継ぎ手の中間層にある螺旋状の溝に差込んで接合する側のパイプを回転させる事によって
突起部が螺旋状の溝に沿って接合方向に進み内側パイプの先端が接合される側パイプの内
側パイプの先端に接合した所で接合する側のパイプの中間層のカム（図001の9）がワイヤ
ースプリング（図001の2）の押力によって押し出され接合される側パイプの中間層のカム
受け溝（図002の12）に入り込み接合する側のパイプの逆回転を止めるため接合状態が
保持される  雌側継ぎ手の中間層の螺旋状の溝（図002の13）の形状をパイプの垂直軸終
端方向に対して2次曲線状（図003の13）にしている為  接合する側のパイプの回転力に
より接合力が得られる構造をし  また雄側継ぎ手の中間層の逆回転防止用カム（図001の
9）を外側パイプの開口部（図001の7）より引き戻しフック（図001の6）を引きながら
接合する側のパイプを逆回転させることによって容易に接合を外せる構造の継ぎ手を持
ったパイプ                  
【発明の詳細な説明】
【技術分野】
【０００１】
本発明はパイプを同じ内径  同じ外径でワンタッチで無数に接続できる  またワンタッ
チで取り外しができる継ぎ手を持ったパイプである
【背景技術】
【０００２】
パイプ接続で継ぎ手を使用する方法では接続部の外形が変化しその部分が物理的な障害に
なる  
【０００３】
パイプ接続部を加工してワンタッチでパイプ接続を行う従来の物は接続部で外形または内径が変化する
【０００４】
釣竿の様にテーパー形状のパイプを1本のパイプの中に複数本収納して内側より伸ばして
長いパイプとして使用する物は  その構造上から長さに制限ができる
【０００５】
パイプ接続には技術的に熟練を要する物がある
【特許文献１】特開2004-346660
【特許文献２】特開2003-184188
【特許文献３】特開2000-139750
【特許文献４】特開平8-200576
【特許文献５】特開平9-42548
【特許文献６】登録実用新案第3095351号
【発明の開示】
【発明が解決しようとする課題】
【０００６】
解決しようとする問題点はパイプ接続部においてパイプの外径または内径が変化すること
でありまた接続作業において技術あるいは工具を必要とすることである
【課題を解決するための手段】
【０００７】
本発明はパイプ接続においてパイプの外径と内径を変化させること無く  簡単に接続できる事を最も主な特徴とする
【発明の効果】
【０００８】
本発明はパイプ接続部においてパイプの外径と内径が変化すること無く簡単に接続でき
る物で2本のパイプを2倍長の1本にする事ができ同様に無数本のパイプを1本化できる             
【０００９】
図002及び 図003の13で示す様にガイド溝が二次曲線状の螺旋構造をしているためパイ
プの回転力をより強い接合力にする事ができる
【発明を実施するための最良の形態】
【００１０】
パイプを3層構造にしてそれぞれに主要な役割をもたせる
図004の17の内側層パイプは導通部と接合機能を持たせる  図004の中間層にはパイ
プ接続機構雄部図001および雌部図002を設また内側層パイプと外側層パイプを接着
するため間隔を置いて配置されたリング状のパイプ図004の19を設ける  図004の18
の外側層は主にパイプ全体の保護カバーとして使用するがパイプ取り外し時にカムを
引き戻すフックを操作するスペースの開口部図001及び図004の7がある
【実施例】
【００１１】
雄部内側層パイプは雌部の中間層パイプの内側に挿入され雌部内側層パイプに接合さ
れる（図005の20）延べ挿入長は外側層パイプの直径の2倍位とする  接続機構雄部
の突起状ツメAの先端突起（図001及び図004の10）は接続機構雌部中間層パイプの
螺旋状の溝を滑って進むためのもので螺旋状溝幅より若干細い直径の円形でその高さ
は外側パイプの内径より若干低くしている  又突起状ツメBのリングストッパー (図
001及び図004の4)は接続機構雄部のスライドリング（図001の3）を定位置に固定さ
せるためスライドリングの溝（図001の3）に収まる円形をしているリングストッパー
の直径幅はガイド溝1（図001の5）の溝幅より若干狭く高さは外側層パイプの内径よ
り若干低くしてある
【００１２】
雌側接続部中間層には内側層パイプ接続機構雄部の突起状ツメA先端突起（図001及
び図004の10）をガイドするための溝（図002及び図003の13）を設ける溝の全体形
状は突起状ツメA先端突起が挿入される挿入口付近は幅広く挿入しやすくしてある又
溝幅は挿入が進むにつれ狭まり突起状ツメAの直径より若干広く溝幅が維持される形
態にする  突起状ツメAが終端位置に進む訪路が終端位置から見て二次曲線を描く様
な溝形状（図003の360度展開図）にしている  突起状ツメAを終端位置まで挿入す
るには接続する側のパイプ全体を右回転（時計方向）させる  終端位置付近まで挿入が
進むとガイド溝が二次曲線形状をしているためパイプ回転力が内側パイプの接合力に
変換されより強い接合力が得られる
【００１３】
中間層の節リング（図004の19）は内側パイプと外側パイプを接着させるため又パイ
プの軽量化のため竹の節の様に間隔を持たせて配置する        
【００１４】
接続機構雄部中間層にあるワイヤースプリング（図001及び図004の2）は中間リング
とスライドリング（図001及び図004の3）の間に配置し常にスライドリングをパイプ
先端方向に押し出す力を加えている  
【００１５】
スライドリング（図001及び図004の3）は内側層パイプと外側層パイプの間に配置し
その間でパイプ先端方向に後退前進をするスライドリングの内径は内側層パイプの外
径より若干太くスライドリングの外径は外側パイプの内径より若干細くしてある  ス
ライドリング（図001及び図004の3）は常にワイヤースプリング（図001の2）によ
ってパイプの先端方向に押し出される様に力が加わっているが  スライドリングに在
るガイド溝（図001の5）の中に配置された内側層パイプの突起状ツメB(リングストッ
パー)図001及び図004の4によって定位置で止まる（図001）  スライドリング先端
には回転止カム（図001の9）があり  雄側接続部の内側パイプ先端を雌側接続部にパ
イプを回転させながら挿入して行き回転止カムの先端が雌側接続部の中間層先端にあ
たるとその後は挿入した長さだけスライドリングが押し戻される回転止カムは雌側接
続部の中間層先端面を滑り内側層パイプの突起状ツメA先端突起（図001及び図004
の10）が雌側接続部の中間層螺旋状溝の終端点（図002及び図003の15）で止まる点
で雌側接続部の中間層のカム受け溝（図002及びっ図003の12）のスペースに収まる
位置に配置しているため内側層パイプが接合した時点でスライドリングが押し戻され
た分だけワイヤースプリングによって押し出されるスライドリングの外側には突起状
のツメの引き戻しフックを設け（図001の6）雌側接続部の中間層のカム受け溝まで押
し出されたスライドリングを引き戻す操作用の突起状のツメでその高さは外側パイプ
の外径より若干低くなる様にしてある
【００１６】
雄側接続部の外側層パイプ先端付近にスライドリング引き戻しフックを操作できる開
口部（図001の7）を設ける  幅はスライドリング引き戻しフックより若干広く長さは
スライドリング先端の回転止カムがカム受け溝から全て引き戻す事ができる長さより
若干長い
【００１７】
これらを構成する材料は硬質の物で目的に応じて内側層パイプから外側層パイプまで
それぞれ樹脂質から金属まで選択できる
【産業上の利用可能性】
【００１８】
本発明による簡易接続パイプは工業的に量産する事が可能であり作業スペースの狭い
所でパイプを容易接続でき短いパイプを長くする事ができる  また接続が簡単である
ため技術的に熟練を要さない
【図面の簡単な説明】
【００１９】
【図００１】雄側継ぎ手部の側面及び断面図と各部名称と主な役目
【図００２】雌側継ぎ手部の側面及び断面図と各部名称と主な役目
【図００３】雌側継ぎ手部の中間層展開図
【図００４】パイプ全体図と各層の配置図
【図００５】雄部雌部の接合図
【図００６】パイプ接続部雄側の回転図
【図００７】パイプ接続部雌側の回転図
【符号の説明】
【００２０】
1.       
中間リングはワイヤースプリングを支持する
2.       
ワイヤースプリング  スライドリングを先端に押し出す
3.       
スライドリングで中間層を後退及び前進する
4.       
リングストッパーでスライドリングの移動範囲を制限するためパイプ内側層に設けられた突起状ツメでガイド溝1に収まる
5.       
ガイド溝1はスライドリングの移動範囲を制限するためリングストッパー爪が移動するための溝
6.       
引き戻しフック押し出されたスライドリングを引き戻すための操作をするための突起状フック
7.       
ガイド溝2は引き戻しフックを移動操作できるためのパイプ外側層にある開口部
8.       
パイプの外側層で雄部付近に引き戻しフックを操作する開口部がある
9.       
回転止めカムは内側パイプの雄側雌側双方が接合する点でスライドリングに付いて押し出され雌側カム受け溝に入りパイプの逆回転を防ぐ作用をする
10.    先端突起は  雌側中間層の螺旋状溝をパイプの回転によって進む
11.    内側パイプの内径部は導通部として接続部付近では接合強度を保持する
12.    カム受け溝  雄部スライドリング先端部のカムを所定の位置で受け入れパイプの逆回転を防止する
13.    螺旋状溝  雌部接続部の中間層にああって雄部の先端突起をガイドするための溝で二次曲線形状の螺旋溝
14.    雌部接続部の中間層で雄部の先端突起をガイドするための溝を設け内側パイプと外側パイプの接着をする
15.    螺旋状溝の終端点で雄部の先端突起の最終到着点
16.    接続パイプ全体
17.    内側層パイプ全体
18.    外側層パイプ全体
19.    節リングは内側層パイプと外側層パイプの間に間隔的に配置し内側層パイプと外側層パイプを接着する
20  内側層パイプの接合点  
【図００１】
2008223848.tif 000003
【図００２】
2008223848.tif 000004
【図００３】
2008223848.tif 000005
【図００４】
2008223848.tif 000006
【図００５】
2008223848.tif 000007
【図００６】
2008223848.tif 000008
【図００７】
2008223848.tif 000009